(57)【要約】【課題】  外壁に雨水による流路痕が生じにくい換気フードの提供。【解決手段】  通気パイプの外側開口３の正面９と上面１０及び両側面１１，１２の４面を覆う遮蔽部１３を有し、遮蔽部１３の裾を上方にめくり上げて受け樋１６に形成する。左右両側の受け樋１６を正面外方に向けて低くなるように傾斜させ、受け樋１６の正面最低部に雨水の落し口１８を設ける。【選択図】      図１
2005061748.tif 000002
【特許請求の範囲】
【請求項１】
通気パイプの外側開口に取付ける換気フードであって、前記外側開口の正面と上面及び両側面の４面を覆う遮蔽部を有し、遮蔽部の裾を上方にめくり上げて受け樋に形成し、遮蔽部両側の受け樋を正面外方に向けて低くなるように傾斜させ、受け樋の正面最低部に雨水の落し口を設けてあることを特徴とした換気フード。
【請求項２】
遮蔽部は壁側の縁に、取付ける壁の面とほぼ平行な面を持つ縁部を連続して備え、その平行な面を前記受け樋に連続させてあることを特徴とした請求項１に記載の換気フード。
【請求項３】
遮蔽部の背面に通気パイプの外側開口へ差し込む接続筒を有し、接続筒に熱を感知して作動し、通気路を遮断するシャッターを備えていることを特徴とした請求項１又は２に記載の換気フード。
【発明の詳細な説明】
【技術分野】
【０００１】
この発明は、建物の壁を貫通して取り付けられる通気パイプの外側端部に取り付ける換気フードに関する。
【背景技術】
【０００２】
建物では、壁面を構成する際に換気や排気に用いる通気パイプを貫通させて固定する。通気パイプの外側開口には換気フードを取付ける。換気フードは雨風が通気パイプへ直接吹き込まないようにするのが基本であるが、通気パイプの外側開口を化粧して建物の壁あるいは建物が持つ雰囲気になじませる目的のものがある（特許文献１，２）。
【０００３】
【特許文献１】特開２００２−８１７０８号公報
【特許文献２】特開２０００−１２０９３８号公報
【発明の開示】
【発明が解決しようとする課題】
【０００４】
通気パイプの外側開口を化粧するタイプの換気フードでは、建物の壁が持つ雰囲気を損なわないように種々のデザインに形成されているが、換気フードは壁面から突出して取付けられるので、雨天の場合に換気フードの上面や正面、側面を伝い下りる雨水が、換気フードの左右に別れ、壁との取付け部から壁を伝って流れる。このため、時間が経つと正面から見て換気フードの左右両側に黒い流路痕を作る。この汚れは外部から目立ち、また、高所にあって除去しにくい。本願の発明は、このような汚れが発生しにくい換気フードの提供を課題とする。
【課題を解決するための手段】
【０００５】
通気パイプの外側開口を正面と上面及び両側面の４面で覆う遮蔽部を有した換気フードとする。この換気フードは遮蔽部の裾を上方にめくり上げて受け樋に形成する。受け樋は遮蔽部の下縁に沿って形成されるが、両側の受け樋を正面外方に向けて低くなるように傾斜させる。そして、受け樋の正面最低部に雨水の落下口を設ける。
この構成によって、遮蔽部を流れる雨水はすべて受け樋に集まり、正面の落し口からまとまって落下する。このため、遮蔽部を流れる雨水が換気フードの壁との取付け個所から壁伝いに流れてできる流路痕が生じにくい。
【０００６】
前記遮蔽部にはさらに壁側の縁に、取付ける壁の面とほぼ平行な面を持つ縁部を連続して設けることがある。縁部はその壁の面と平行な面を前記受け樋に連続させて成形する。この構成では、遮蔽部を流れる雨水が壁側に移動するのを縁部によって阻止すると共に前記の受け樋へスムーズに誘導する。
また、遮蔽部の背面に通気パイプの外側開口へ差し込む接続筒を有し、接続筒に熱を感知して作動する部材で通常は開放状態に維持されるシャッターを設けることもある。接続筒によって通気パイプとの接続が容易である。また、熱を感知して作動する部材は温度ヒューズなどであり、近接した火災の火熱で溶断してシャッターを閉じ、火熱が屋内に侵入して類焼してしまう危険を防止する。
【発明の効果】
【０００７】
換気フード取付け個所に目立つ流路痕ができないので、壁面が持つ雰囲気を損なうことがない。
【発明を実施するための最良の形態】
【０００８】
遮蔽部と背面部及び接続筒を有し、遮蔽部を滑らかな曲面で一体につながった上面と正面及び左右両側面からなり外側へ凸の形態とする。背面部は接続筒を支持するためのものであり、接続筒は、通気パイプに嵌合できる寸法とする。
【実施例１】
【０００９】
図１は、木造住宅の外壁１に通気パイプ２を固定し、通気パイプ２の外側開口３に換気フード４を取り付けた構造である。外壁１は、サイジングなどの外壁材５の内側に換気用間隙ｓをとって外側ボード６（合板）が配置され、さらに柱の間隔をとって内側ボード７（石膏ボード）が張られた構造となっている。符号８は断熱材で発泡スチロールなどである。
【００１０】
換気フード４は、図２に見るように、正面９、上面１０、及び左右の両側面１１，１２からなる遮蔽部１３と、背面板１４及び接続筒１５を備える（図３）。これらはいずれもステンレスあるいは通常の薄鋼板を成形してある。
遮蔽部１３は、正面９、上面１０、及び左右の両側面１１，１２が滑らかな曲面で連続した外側へ凸となる形態であり、裾をめくり上げるようにして受け樋１６を形成し、また、壁側の縁は壁の面と平行となる面を有する縁部１７を形成してある。縁部１７の壁と平行な面は前記の受け樋１６の溝へ連続している（図４）。受け樋１６は、遮蔽部１３の下縁を取り巻いて形成され、左右両側の壁側から先端ヘ、先端側が低くなるように傾斜して形成され、合流する先端部（最低部）を切欠いて雨水の落し口１８を形成してある。
【００１１】
背面板１４は、遮蔽部１３の前記縁部１７を利用して内側から遮蔽部１３に溶接し固定される平らな板であり、中央部に孔を有し、この孔に合わせて接続筒１５が取付けられる。
接続筒１５は、通気パイプ２へ嵌挿できる外径の筒体であって、外側にフランジ１９を、内側にシャッター２０を備える。また、符号２１は、ばね材による止め具である。シャッター２０は、中心部の軸２２を中心に回動して開口２３を開閉できる２枚の扇形板２４である。２枚の扇形板２４は、常時閉じる方向に作用しているばねに抗して温度ヒューズ２５で開いた状態に固定してある。
【００１２】
したがって、接続筒１５が高温（８０〜１２０°）になると温度ヒューズ２５が溶断され、通気路が遮断される。
接続筒１５は外側のフランジ１９で背面板１４に溶接して固定される。このとき、遮蔽部１３の縁部１７との間に鳥や虫除けの網２６を挟みこんで固定する。
このように構成された換気フード４は、外壁１に予め固定してある通気パイプ２の外側開口３へ接続筒１５を差し込んで取付ける。取付け状態は接続筒１５の周囲に配置した止め具２１の弾性で維持される。
【００１３】
この実施例によれば、換気フード４の遮蔽部１３を伝う雨水は受け樋１６に集められ、先端の落し口１８から滴下する。落し口１８は外壁面から最も離れた位置なので、滴下する雨水が壁面に付着することはない。このため、換気フード３の外壁との取付け個所から下方へ目立つ流路痕ができることがない。
以上、実施例について説明した。
遮蔽部４の外側へ凸の形態は多面体の場合も包含する。接続筒１５にシャッター２０を有しない場合もある。受け樋１６は上方へ巻き込んで溝を作る構造であれば良く、溝の断面は丸みのある場合も、四角形、三角形の場合もある。
【図面の簡単な説明】
【００１４】
【図１】一部を断面で示す側面図
【図２】正面側から見た斜視図
【図３】背面側から見た斜視図
【図４】正面図
【符号の説明】
【００１５】
１    外壁
２    通気パイプ
３    外側開口
４    換気フード
５    外壁材
６    外側ボード（合板）
７    内側ボード（石膏ボード）
８    断熱材
９    正面
１０  上面
１１  左側面
１２  右側面
１３  遮蔽部
１４  背面板
１５  接続筒
１６  受け樋
１７  縁部
１８  落し口
１９  フランジ
２０  シャッター
２１  止め具
２２  軸
２３  開口
２４  扇形板
２５  温度ヒューズ
２６  網
【図１】
2005061748.tif 000003
【図２】
2005061748.tif 000004
【図３】
2005061748.tif 000005
【図４】
2005061748.tif 000006